(57)【要約】  第１の刃体と第２の刃体とが支点において回動可能に結合されてなる鋏において、Ｌ１（前記支点から前記第１の刃体の最先端点までの長さ）＞Ｌ２（前記支点から前記第２の刃体の最先端点までの長さ）であり、前記Ｌ１の長さの刃体は、その先端部側において、刃線側に、凸形状に形成された部分を有し、前記Ｌ１の長さの刃体は、その先端部側において、嶺線側に、凹形状に形成された部分を有する。
2011040055.tif 000002
【特許請求の範囲】
【請求項１】
第１の刃体と第２の刃体とが支点において回動可能に結合されてなる鋏において、
Ｌ１（前記支点から前記第１の刃体の最先端点までの長さ）＞Ｌ２（前記支点から前記第２の刃体の最先端点までの長さ）であり、
前記Ｌ１の長さの刃体は、その先端部側において、刃線側に、凸形状に形成された部分を有し、
前記Ｌ１の長さの刃体は、その先端部側において、嶺線側に、凹形状に形成された部分を有する
ことを特徴とする鋏。
【請求項２】
前記第１の刃体が静刃体であり、
前記第２の刃体が動刃体である
ことを特徴とする請求項１の鋏。
【請求項３】
２ｍｍ≦（Ｌ１−Ｌ２）≦８ｍｍ
であることを特徴とする請求項１の鋏。
【請求項４】
３ｍｍ≦（Ｌ１−Ｌ２）≦７ｍｍ
であることを特徴とする請求項１の鋏。
【請求項５】
０．５ｍｍ≦Ｌ３（第１の刃体の先端部（前記鋏を閉じた状態において、前記第１の刃体と前記第２の刃体とが重ならない領域）における前記第１の刃体の幅の最大長さ）≦５ｍｍ
であることを特徴とする請求項１〜請求項４いずれかの鋏。
【請求項６】
１ｍｍ≦Ｌ３≦４ｍｍ
であることを特徴とする請求項５の鋏。
【請求項７】
０＜Ｌ４（前記第１の刃体の嶺線を指に接した場合、該第１の刃体の最先端点と前記指との間の距離）≦１ｍｍ
であることを特徴とする請求項１〜請求項６いずれかの鋏。
【請求項８】
０．０１ｍｍ≦Ｌ４≦０．５ｍｍ
であることを特徴とする請求項７の鋏。
【請求項９】
５°≦β（第１の刃体の先端部における前記第１の刃体の角度）≦５０°
であることを特徴とする請求項１〜請求項８いずれかの鋏。
【請求項１０】
１０°≦β≦４５°
であることを特徴とする請求項９の鋏。
【請求項１１】
前記第１の刃体の先端部（前記鋏を閉じた状態において、前記第１の刃体と前記第２の刃体とが重ならない領域）には刃が構成されていない
ことを特徴とする請求項１〜請求項１０いずれかの鋏。
【請求項１２】
前記第１の刃体の先端部は丸味を帯びている
ことを特徴とする請求項１〜請求項１１いずれかの鋏。
【請求項１３】
前記鋏はブラントカット用鋏である
ことを特徴とする請求項１〜請求項１２いずれかの鋏。
【発明の詳細な説明】
【技術分野】
【０００１】
本発明は鋏に関する。
【背景技術】
【０００２】
理容業界や美容業界において、髪の毛を鋏でカットする際のテクニックとしてブラントカット（Brunt Cut）が知られている。このブラントカットは次のようなテクニックである。先ず、カット箇所の髪の毛Ｈが櫛で引き出される。そして、中指と人差し指とで髪の毛Ｈが挟まれる。次いで、指がカット位置にスライドされる（図４参照）。この後、中指と人差し指との間から出ている髪の毛Ｈが鋏でカットされる（図５参照）。この時、鋏の静刃体の嶺線が中指に沿って移動させられながら鋏の開閉動作が行なわれる。これにより、髪の毛Ｈがカットされて行く。尚、図５に示される鋏は、説明の便宜上、本発明の鋏である。
【発明の概要】
【発明が解決しようとする課題】
【０００３】
さて、このようなブラントカットに際して、従来の鋏では、カットがスムーズに行われ難いことに気付くに至った。すなわち、従来の鋏２１でブラントカットが行なわれた場合、髪の毛Ｈが静刃体２２の上にスムーズに導かれ難くかった（図３参照）。この為、カットがスムーズに行われ難いことに気付くに至った。【０００４】
従って、本発明が解決しようとする課題は、カットに際して、髪の毛が刃の間にスムーズに導かれる鋏を提供することである。すなわち、鋏における動刃体と静刃体との間に髪の毛がスムーズに入って行き、カットがスムーズに行われる鋏を提供することである。
【課題を解決するための手段】
【０００５】
前記の課題は、
第１の刃体と第２の刃体とが支点において回動可能に結合されてなる鋏において、
Ｌ１（前記支点から前記第１の刃体の最先端点までの長さ）＞Ｌ２（前記支点から前記第２の刃体の最先端点までの長さ）であり、
前記Ｌ１の長さの刃体は、その先端部側において、刃線側に、凸形状に形成された部分を有し、
前記Ｌ１の長さの刃体は、その先端部側において、嶺線側に、凹形状に形成された部分を有する
ことを特徴とする鋏によって解決される。【０００６】
好ましくは、上記の鋏であって、前記第１の刃体が静刃体であり、前記第２の刃体が動刃体であることを特徴とする鋏によって解決される。【０００７】
又、好ましくは、上記の鋏であって、２ｍｍ≦（Ｌ１−Ｌ２）≦８ｍｍであることを特徴とする鋏によって解決される。より好ましくは、３ｍｍ≦（Ｌ１−Ｌ２）≦７ｍｍであることを特徴とする鋏によって解決される。【０００８】
又、好ましくは、上記の鋏であって、０．５ｍｍ≦Ｌ３（第１の刃体の先端部（前記鋏を閉じた状態において、前記第１の刃体と前記第２の刃体とが重ならない領域）における前記第１の刃体の幅の最大長さ）≦５ｍｍであることを特徴とする鋏によって解決される。より好ましくは、１ｍｍ≦Ｌ３≦４ｍｍであることを特徴とする鋏によって解決される。【０００９】
又、好ましくは、上記の鋏であって、５°≦β（第１の刃体の先端部における前記第１の刃体の角度（刃線（刃線延長線：刃線相当線）と嶺線とで形成される角度））≦５０°であることを特徴とする鋏によって解決される。より好ましくは、１０°≦β≦４５°であることを特徴とする鋏によって解決される。【００１０】
又、好ましくは、上記の鋏であって、０＜Ｌ４（前記第１の刃体の嶺線を指に接した場合、該第１の刃体の最先端点と前記指との間の距離）≦１ｍｍであることを特徴とする鋏によって解決される。より好ましくは、０．０１ｍｍ≦Ｌ４≦０．５ｍｍであることを特徴とする鋏によって解決される。【００１１】
又、好ましくは、上記の鋏であって、前記第１の刃体の先端部（前記鋏を閉じた状態において、前記第１の刃体と前記第２の刃体とが重ならない領域）には刃が構成されていないことを特徴とする鋏によって解決される。【００１２】
又、好ましくは、上記の鋏であって、前記第１の刃体の先端部は丸味を帯びていることを特徴とする鋏によって解決される。
【発明の効果】
【００１３】
本発明の鋏は、条件１（Ｌ１＞Ｌ２）及び条件２（前記Ｌ１の長さの刃体は、その先端部側において、嶺線側に、凹形状に形成された部分を有する。）を満足する。これにより、ブラントカットに際して、髪の毛がスムーズに第１の刃体（静刃体）の上に乗って行く（導かれる）ようになる。従って、ブラントカットがスムーズに行われる。
【図面の簡単な説明】
【００１４】
【図１】本発明になる鋏の斜視図
【図２】本発明になる鋏の要部の拡大図
【図３】従来の鋏の欠点を示す説明図
【図４】ブラントカットの説明図
【図５】ブラントカットの説明図
【発明を実施するための形態】
【００１５】
本発明は鋏である。例えば、理容用の鋏である。或は、美容用の鋏である。特に、髪の毛をカットするに際して用いられる鋏である。中でも、ブラントカット用の鋏である。この鋏は、第１の刃体（静刃体）と第２の刃体（動刃体）とを有する。前記第１の刃体と前記第２の刃体とは、支点において、回動（開閉）可能に結合されている。例えば、回動軸（螺子）によって、前記第１の刃体と前記第２の刃体とが連結されている。従来の鋏も、このような構成を有している。
【００１６】
本発明の鋏は、条件（Ｌ１＞Ｌ２）を満たす。ここで、Ｌ１は、前記支点から前記第１の刃体（静刃体）の最先端点までの長さである。Ｌ２は、前記支点から前記第２の刃体（動刃体）の最先端点までの長さである（図１参照）。好ましい鋏は、条件（２ｍｍ≦（Ｌ１−Ｌ２）≦８ｍｍ）を満たす。より好ましい鋏は、条件（３ｍｍ≦（Ｌ１−Ｌ２）≦７ｍｍ）を満たす。更に好ましい鋏は、条件（４ｍｍ≦（Ｌ１−Ｌ２）≦６ｍｍ）を満たす。すなわち、従来の鋏は、Ｌ１＝Ｌ２であった。これに対して、本発明の鋏は、Ｌ１≠Ｌ２である。このように構成することで、髪の毛が、前記第１の刃体の上に、よりスムーズに導かれる。（Ｌ１−Ｌ２）の値は大き過ぎないのが好ましい。なぜならば、（Ｌ１−Ｌ２）の値が大きすぎると、ブラントカットが難くなったからである。逆に、（Ｌ１−Ｌ２）の値が小さ過ぎると、本発明の特長が奏され難い。従って、（Ｌ１−Ｌ２）が上記のような値の場合が、より好ましいものであった。
【００１７】
本発明における好ましい鋏は、条件（０．５ｍｍ≦Ｌ３≦５ｍｍ）を満たす。より好ましい鋏は、条件（１ｍｍ≦Ｌ３≦４ｍｍ）を満たす。このように構成することで、髪の毛が、前記第１の刃体の上に、よりスムーズに導かれる。ここで、Ｌ３は、第１の刃体の先端部（前記鋏を閉じた状態において、前記第１の刃体と前記第２の刃体とが重ならない領域）における前記第１の刃体の幅（刃線Ｘと嶺線Ｚとの間の距離）の最大長さである（図２参照）。
【００１８】
本発明における好ましい鋏は、条件（５°≦β≦５０°）を満たす。より好ましい鋏は、条件（１０°≦β≦４５°）を満たす。このように構成することで、髪の毛が、前記第１の刃体の上に、よりスムーズに導かれる。ここで、βは、前記第１の刃体の先端部における刃線Ｘと嶺線Ｚとで形成される角度である。
【００１９】
本発明における好ましい鋏は、条件（０＜Ｌ４≦１ｍｍ）を満たす。より好ましい鋏は、条件（０．０１ｍｍ≦Ｌ４≦０．５ｍｍ）を満たす。このように構成することで、髪の毛が、前記第１の刃体の上に、よりスムーズに導かれる。ここで、Ｌ４は、前記第１の刃体の嶺線Ｚを指に接した場合、該第１の刃体の最先端点（図２中、点ｏ）と前記指との間の距離である。
【００２０】
本発明における好ましい鋏は、前記第１の刃体の先端部（前記鋏を閉じた状態において、前記第１の刃体と前記第２の刃体とが重ならない領域）には、刃が構成されていないことである。前記先端部には刃が無いことから、上記においては、先端部における刃線に刃線延長線（刃線相当線）の言葉を用いた。このように構成させておくことで、安全性が高まる。すなわち、鋏の不使用時は、一般的には、鋏が閉じられている状態（前記第１の刃体と前記第２の刃体とが重なっている状態）である。鋏の不使用時は、鋏に対する気配りが少ない。このような時、ふとしたことで、鋏の先端部に触れることも起き得る。その時、刃が形成されていると、怪我する恐れが高くなる。しかしながら、上記のように構成させていると、鋏が閉じられている状態では、刃が、直接、手などに触れる恐れが少なくなる。従って、安全性が高まる。
【００２１】
本発明における好ましい鋏は、前記第１の刃体の先端部が丸味を帯びている（図２参照）。これによって、突き刺さることが起き難い。すなわち、前記先端部が針の如くに尖っていると、前記先端部が手や指に触れた時に、怪我する恐れが高い。しかしながら、先端部に丸味を形成しておくことで、それだけ、安全性が高まる。
【００２２】
これまでの鋏の刃体の嶺線は凸形状であった。これに対して、本発明では、前記Ｌ１の長さの刃体は、その先端部側において、嶺線側に、凹形状に形成された部分を有する。これにより、ブラントカットに際して、髪の毛が前記Ｌ１の長さの刃体（静刃体）の上にスムーズに乗っかって行く。なぜならば、ブラントカットに際して、第１の刃体（静刃体）の先端部と中指との間に隙間が出来難いからである。尚、前記Ｌ１の長さの刃体の刃線は凸形状である。
【００２３】
以下、本発明について、更に具体的に説明する。
図１は、本発明になる鋏の斜視図である。図２は、本発明になる鋏の要部（先端部）の説明図である。
【００２４】
各図中、１は鋏である。
２は第１の刃体（静刃体）である。前記静刃体２の先端部における嶺線Ｚは凹形状である。特に、中指の上側ライン（掌を正面から見た場合、中指の上側のライン。図１，２参照）の形状に似せた凹形状である。前記静刃体２の先端部における刃線Ｘは凸形状である。前記静刃体２の刃線側には、その先端部（鋏１を閉じた状態において、静刃体２と後述の動刃体５とが重ならない領域）３を除いて、刃４が形成されている。
５は第２の刃体（動刃体）である。この動刃体５の刃線側には刃６が形成されている。
【００２５】
前記静刃体２と前記動刃体５とは、螺子７によって連結されている。特に、前記静刃体２と前記動刃体５とが重なったり（閉じる）、重ならなくなったり（開く（図１，２の状態））することが出来るよう、前記静刃体２と前記動刃体５とは、支点（螺子７の位置）において、回動（開閉）可能に結合されている。
【００２６】
上記静刃体２の先端部３の箇所、及び静刃体２の嶺線Ｚの形状（凹形状）を除けば、上記構成は従来の鋏とほぼ同様である。
【００２７】
本発明の鋏の特徴は上記静刃体２の先端部３にある。
【００２８】
本実施形態の鋏は条件Ａを満たす。
条件Ａ；Ｌ１＞Ｌ２
Ｌ１＝支点７から最先端点Ｏまでの静刃体２の長さ
Ｌ２＝支点７から最先端点までの動刃体５の長さ（図１参照）
【００２９】
好ましい鋏は、条件（２ｍｍ≦（Ｌ１−Ｌ２）≦８ｍｍ）を満たす。より好ましい鋏は、条件（３ｍｍ≦（Ｌ１−Ｌ２）≦７ｍｍ）を満たす。更に好ましい鋏は、条件（４ｍｍ≦（Ｌ１−Ｌ２）≦６ｍｍ）を満たす。図１，２に示される鋏は、Ｌ１＝Ｌ２＋５ｍｍである。Ｌ１＝５０〜８０ｍｍである。
【００３０】
本実施形態の鋏は条件Ｂを満たす。
条件Ｂ；０．５ｍｍ≦Ｌ３≦５ｍｍ
Ｌ３＝先端部３における静刃体２の幅の最大長さ（図２参照）
【００３１】
より好ましい鋏は、条件（１ｍｍ≦Ｌ３≦４ｍｍ）を満たす。図１，２に示される鋏は、Ｌ３＝２．４ｍｍである。
【００３２】
本実施形態の鋏は条件Ｃを満たす。
条件Ｃ；５°≦β≦５０°
β＝静刃体２の先端部３における刃線（刃線延長線：刃線相当線）Ｘと嶺線Ｚとで形成される角度
【００３３】
より好ましい鋏は、条件（１０°≦β≦４５°）を満たす。図１，２に示される鋏のβは約２５°である。
【００３４】
本実施形態の鋏は条件Ｄを満たす。
条件Ｄ；０＜Ｌ４≦１ｍｍ
Ｌ４＝静刃体２の嶺線Ｚを中指に載せた場合、静刃体２の最先端点ｏと前記指との間の距離（図２参照）
【００３５】
より好ましい鋏は、条件（０．０１ｍｍ≦Ｌ４≦０．５ｍｍ）を満たす。図１，２に示される鋏のＬ４は約０．１ｍｍである。
【００３６】
本実施形態の鋏は条件Ｅを満たす。
条件Ｅ；静刃体２の先端部（点ｏと点ｐとの間の部分）３には刃が形成されて無い。
【００３７】
本実施形態の鋏は条件Ｆを満たす。
条件Ｆ；静刃体２の先端部３は丸味を帯びている（図２参照）。
【００３８】
本実施形態の鋏は条件Ｇを満たす。
条件Ｇ；動刃体５の先端部は丸味を帯びている（図２参照）。
【００３９】
本実施形態の鋏は条件Ｈを満たす。
条件Ｈ；静刃体２の先端部における嶺線Ｚは凹形状である。特に、中指の上側線に似せた凹形状である（図１，２参照）。
【００４０】
上記の鋏は上述した特長を奏する。
【符号の説明】
【００４１】
１        鋏
２        第１の刃体（静刃体）
３        先端部
４        刃
５        第２の刃体（動刃体）
６        刃
７        螺子（支点）
Ｌ１      支点７から最先端点ｏまでの静刃体２の長さ
Ｌ２      支点７から最先端点までの動刃体５の長さ
Ｘ        静刃体の刃線
Ｚ        静刃体の嶺線
【図１】
2011040055.tif 000003
【図２】
2011040055.tif 000004
【図３】
2011040055.tif 000005
【図４】
2011040055.tif 000006
【図５】
2011040055.tif 000007
【手続補正書】
【提出日】平成22年6月25日(2010.6.25)
【手続補正１】
【補正対象書類名】特許請求の範囲
【補正対象項目名】全文
【補正方法】変更
【補正の内容】
【特許請求の範囲】
【請求項１】
第１の刃体と第２の刃体とが支点において回動可能に結合されてなる鋏において、
前記鋏はブラントカット用鋏であって、
Ｌ１（前記支点から前記第１の刃体の最先端点までの長さ）＞Ｌ２（前記支点から前記第２の刃体の最先端点までの長さ）であり、
前記Ｌ１の長さの刃体は、その先端部側において、刃線側に、凸形状に形成された部分を有し、
前記Ｌ１の長さの刃体は、その先端部側において、嶺線側に、掌を正面から見た場合に中指の上側のラインに似せた凹型湾曲形状に形成された部分を有する
ことを特徴とする鋏。
【請求項２】
前記第１の刃体が静刃体であり、
前記第２の刃体が動刃体である
ことを特徴とする請求項１の鋏。
【請求項３】
２ｍｍ≦（Ｌ１−Ｌ２）≦８ｍｍ
であることを特徴とする請求項１の鋏。
【請求項４】
３ｍｍ≦（Ｌ１−Ｌ２）≦７ｍｍ
であることを特徴とする請求項１の鋏。
【請求項５】
０．５ｍｍ≦Ｌ３（第１の刃体の先端部（前記鋏を閉じた状態において、前記第１の刃体と前記第２の刃体とが重ならない領域）における前記第１の刃体の幅の最大長さ）≦５ｍｍ
であることを特徴とする請求項１〜請求項４いずれかの鋏。
【請求項６】
１ｍｍ≦Ｌ３≦４ｍｍ
であることを特徴とする請求項５の鋏。
【請求項７】
０＜Ｌ４（前記第１の刃体の嶺線を指に接した場合、該第１の刃体の最先端点と前記指との間の距離）≦１ｍｍ
であることを特徴とする請求項１〜請求項６いずれかの鋏。
【請求項８】
０．０１ｍｍ≦Ｌ４≦０．５ｍｍ
であることを特徴とする請求項７の鋏。
【請求項９】
５°≦β（第１の刃体の先端部における前記第１の刃体の角度）≦５０°
であることを特徴とする請求項１〜請求項８いずれかの鋏。
【請求項１０】
１０°≦β≦４５°
であることを特徴とする請求項９の鋏。
【請求項１１】
前記第１の刃体の先端部（前記鋏を閉じた状態において、前記第１の刃体と前記第２の刃体とが重ならない領域）には刃が構成されていない
ことを特徴とする請求項１〜請求項１０いずれかの鋏。
【請求項１２】
前記第１の刃体の先端部は丸味を帯びている
ことを特徴とする請求項１〜請求項１１いずれかの鋏。
【国際調査報告】
2011040055.tif 000008
2011040055.tif 000009
2011040055.tif 000010
2011040055.tif 000011